(57)【要約】本発明は、掃除機ブラシヘッド及び吸塵方法を提供する。掃除機ブラシヘッドは、ブラシヘッド本体と、前拭きプレートと、後拭きプレートと、拭きプレート駆動装置と、噴水機構とを含み、ブラシヘッド本体内に吸塵管路が設けられ、吸塵管路は、ブラシヘッド本体の底部の前側に吸塵口が形成され、噴水機構の噴水口は、ブラシヘッド本体の底部に設けられるとともに前拭きプレートと後拭きプレートとの間に位置し、拭きプレート駆動装置は、前拭きプレート及び後拭きプレートに伝動接続され、拭きプレート駆動装置は、前拭きプレートと後拭きプレートとを互いに反対方向に往復移動させるように配置され、前拭きプレートにその上下両端を貫通するダスト通過孔が設けられ、ダスト通過孔は、吸塵口の下方に位置し、ダスト通過孔は、前拭きプレートが往復移動する際に吸塵口が常にダスト通過孔に重なり合うように配置される。これによって、吸塵、乾拭き、湿拭きを含むオールインワンの清掃作用が達成され、従来技術に比べ、複数のタイプのゴミを清掃することができ、掃除機ブラシヘッドの吸塵清掃の作業面積が増大され、作業効率及び清掃効果が向上する。【選択図】図２
2021533838.tif 000002
【特許請求の範囲】
【請求項１】
ブラシヘッド本体と、前拭きプレートと、後拭きプレートと、拭きプレート駆動装置と、噴水機構とを含み、
前記ブラシヘッド本体内に吸塵管路が設けられ、前記吸塵管路は、前記ブラシヘッド本体の底部の前側に吸塵口が形成され、前記前拭きプレート及び前記後拭きプレートは、それぞれ前記ブラシヘッド本体の底部に設けられ、前記前拭きプレート及び前記後拭きプレートにはそれぞれ雑巾が設けられ、前記拭きプレート駆動装置は、前記ブラシヘッド本体内に設けられ、前記噴水機構の噴水口は、前記ブラシヘッド本体の底部に設けられるとともに、前記前拭きプレートと前記後拭きプレートとの間に位置し、
前記拭きプレート駆動装置は、前記前拭きプレート及び前記後拭きプレートに伝動接続され、前記拭きプレート駆動装置は、前記前拭きプレート、前記後拭きプレートを互いに対方向に往復移動させるように配置され、
前記前拭きプレートには、その上下両端を貫通するダスト通過孔が設けられ、前記ダスト通過孔は、前記吸塵口の下方に位置し、前記ダスト通過孔は、前記前拭きプレートが往復移動する際に前記吸塵口が常に前記ダスト通過孔に重なり合うように配置されることを特徴とする、掃除機ブラシヘッド。
【請求項２】
前記ダスト通過孔が前記前拭きプレートに伴って往復移動する際に前記吸塵口が常に前記ダスト通過孔に重なり合うように、前記前拭きプレートの前進又は後退方向において、前記ダスト通過孔の幅は、前記吸塵口の幅よりも大きくかつ前記ダスト通過孔の幅と前記吸塵口の幅との差は所定の閾値以下であり、或いは、
前記ダスト通過孔が前記前拭きプレートに伴って往復移動する際に前記吸塵口が常に前記ダスト通過孔に重なり合うように、前記前拭きプレートの前進又は後退方向において、前記ダスト通過孔の幅は、前記吸塵口の幅よりも小さくかつ前記ダスト通過孔の幅と前記吸塵口の幅との差は所定の閾値以上であることを特徴とする、請求項１に記載の掃除機ブラシヘッド。
【請求項３】
前記前拭きプレートの頂部は、前記拭きプレート駆動装置に伝動接続され、前記前拭きプレートの底部には集塵タンク及び雑巾取付部を有し、前記集塵タンクの前壁は、前記前拭きプレートの底部の前縁に位置し、前記集塵タンクの後壁は、前記雑巾取付部に接続され、前記ダスト通過孔は、前記集塵タンク内に設けられることを特徴とする、請求項１又は２に記載の掃除機ブラシヘッド。
【請求項４】
前記集塵タンクの前壁には間隔を空けて設けられた複数のノッチを有し、各前記ノッチは、それぞれ前記集塵タンクに連通することを特徴とする、請求項３に記載の掃除機ブラシヘッド。
【請求項５】
前記集塵タンクは、前記前拭きプレートの底部の前縁において中部から両側へ延在するとともに、前記前拭きプレートの底部の前縁の長さの半分以上を占めることを特徴とする、請求項４に記載の掃除機ブラシヘッド。
【請求項６】
前記吸塵口の数は１つ又は複数であり、前記ダスト通過孔の数は１つ又は複数であり、前記吸塵口の数が複数である場合、前記ダスト通過孔は、前記吸塵口と１対１で対応するか、又は１つの前記ダスト通過孔は複数の前記吸塵口に重なり合うことを特徴とする、請求項３に記載の掃除機ブラシヘッド。
【請求項７】
前記集塵タンクの後壁は、複数の歯状ブレードを有し、前記歯状ブレードの刃は、前記集塵タンクに向かっていることを特徴とする、請求項３に記載の掃除機ブラシヘッド。
【請求項８】
前記集塵タンクの前壁は、複数の歯状ブレードを有し、前記歯状ブレードの刃は、前記集塵タンクに向かっていることを特徴とする、請求項７に記載の掃除機ブラシヘッド。
【請求項９】
前記集塵タンクの前記ダスト通過孔が設けられていない領域の幅は、前記ダスト通過孔の幅よりも小さいことを特徴とする、請求項３に記載の掃除機ブラシヘッド。
【請求項１０】
前記拭きプレート駆動装置は、クランクシャフトと、第１リンクロッドと、第２リンクロッドとを含み、前記クランクシャフトは、リンクロッドと、前記リンクロッドに形成された第１軸頸及び第２軸頸とを含み、前記第１リンクロッドの一端は在前記第１軸頸に回転可能に外嵌され、他端は前記前拭きプレートの頂部にヒンジ接続され、前記第２リンクロッドの一端は前記第２軸頸に回転可能に外嵌され、他端は前記後拭きプレートの頂部にヒンジ接続されることを特徴とする、請求項１に記載の掃除機ブラシヘッド。
【請求項１１】
前記第１軸頸の軸芯線、前記第２軸頸の軸芯線、及び前記リンクロッドの回転軸芯は、同一平面に位置し、前記第１軸頸の軸芯線と前記リンクロッドの回転軸芯との間の距離は、前記第２軸頸の軸芯線と前記リンクロッドの回転軸芯との間の距離と同じであることを特徴とする、請求項１０に記載の掃除機ブラシヘッド。
【請求項１２】
前記拭きプレート駆動装置は、前記前拭きプレートと前記後拭きプレートとを反対方向に往復移動させるときに、前記クランクシャフトが自己平衡を保持するように配置されることを特徴とする、請求項１又は１０に記載の掃除機ブラシヘッド。
【請求項１３】
前記前拭きプレートと前記ブラシヘッド本体の底部との間に少なくとも一セットのガイド装置が設けられ、
前記ガイド装置は、スクロールホイールと、スクロールホイール座と、ガイドレールバーと、ガイドレール座とを含み、前記スクロールホイール座は、前記前拭きプレートと前記ブラシヘッド本体のうちの一方に固定され、前記スクロールホイールは、前記スクロールホイール座に回転可能に取り付けられ、前記スクロールホイールは、前記前拭きプレートと前記ブラシヘッド本体のうちの他方に転がり接触し、前記ガイドレール座は、前記前拭きプレートと前記ブラシヘッド本体のうちの一方に固定され、前記ガイドレールバーは、前記前拭きプレートと前記ブラシヘッド本体のうちの他方に固定され、前記ガイドレール座は、前記ガイドレールバーの移動方向を規制するものであることを特徴とする、請求項１又は１０に記載の掃除機ブラシヘッド。
【請求項１４】
前記後拭きプレートと前記ブラシヘッド本体の底部との間に少なくとも一セットのガイド装置が設けられ、
前記ガイド装置は、スクロールホイールと、スクロールホイール座と、ガイドレールバーと、ガイドレール座とを含み、前記スクロールホイール座は、前記後拭きプレートと前記ブラシヘッド本体のうちの一方に固定され、前記スクロールホイールは、前記スクロールホイール座に回転可能に取り付けられ、前記スクロールホイールは、前記後拭きプレートと前記ブラシヘッド本体のうちの他方に転がり接触し、前記ガイドレール座は、前記後拭きプレートと前記ブラシヘッド本体のうちの一方に固定され、前記ガイドレールバーは、前記後拭きプレートと前記ブラシヘッド本体のうちの他方に固定され、前記ガイドレール座は、前記ガイドレールバーの移動方向を規制するものであることを特徴とする、請求項１又は１０に記載の掃除機ブラシヘッド。
【請求項１５】
前記ガイドレール座は、第１座体と第２座体を含み、前記第１座体と前記第２座体との間の隙間に前記ガイドレールバーが挿設されることを特徴とする、請求項１３又は１４に記載の掃除機ブラシヘッド。
【請求項１６】
前記噴水機構の噴水口にはノズルが設けられ、前記ノズルは、前記ブラシヘッド本体の底部に着脱可能に取り付けられることを特徴とする、請求項１に記載の掃除機ブラシヘッド。
【請求項１７】
前記吸塵管路は、内部管路とフレキシブルコネクタとを含み、前記内部管路は、前記ブラシヘッド本体内に位置するとともに、一端が前記吸塵口に接続され、他端が前記フレキシブルコネクタ内に挿入して接続され、前記フレキシブルコネクタは、前記ブラシヘッド本体に固定されることを特徴とする、請求項１に記載の掃除機ブラシヘッド。
【請求項１８】
前記フレキシブルコネクタは、第１套管と、第２套管と、外管とを含み、前記第１套管の第１端は前記ブラシヘッド本体に挿入され、前記第１套管の第２端は前記第２套管にヒンジ接続され、前記外管は前記第２套管内に設けられ、前記内部管路は、前記第１套管を通過して前記外管に挿入して接続され、前記外管と前記第２套管とは係止ボタンによってロックされることを特徴とする、請求項１７に記載の掃除機ブラシヘッド。
【請求項１９】
前記外管と前記第２套管との間に差し込みプラグが固定され、前記差し込みプラグは、前記第２套管及び前記第１套管を通過することを特徴とする、請求項１８に記載の掃除機ブラシヘッド。
【請求項２０】
前記噴水機構は、水タンクを含み、
前記水タンクは、タンク体と、タンク蓋と、スペーサとを含み、
前記タンク蓋は、前記タンク体の頂部に設けられ、前記タンク体の下部は、出水口を有し、前記スペーサは、前記タンク体内に設けられ、前記タンク体を上室と下室に仕切り、前記下室は貯水するものであり、
前記スペーサの中心領域の高さは、縁領域の高さよりも低く、前記スペーサの中心領域には、前記下室に注水するための注水口が形成され、前記タンク蓋は、前記注水口を開閉するように配置されることを特徴とする、請求項１に記載の掃除機ブラシヘッド。
【請求項２１】
請求項１から１９のいずれか１項に記載の掃除機ブラシヘッドを用いて以下の操作を行う吸塵方法であって、
負圧発生装置を起動し、ゴミを前記吸塵口から前記吸塵管路により吸い込み、
前記拭きプレート駆動装置を起動し、前記前拭きプレートと前記後拭きプレートとを互いに反対方向に往復移動させ、
所定の時間間隔、水量に応じて前記噴水機構を起動し、前記前拭きプレートにより清掃すべき領域を乾拭きし、前記後拭きプレートにより清掃すべき領域を湿拭きすることを特徴とする、吸塵方法。
【請求項２２】
前記ブラシヘッド本体が地面に位置するか否かを検出し、前記ブラシヘッド本体が地面から離れた場合、前記噴水機構をオフにすることをさらに含むことを特徴とする、請求項２０に記載の吸塵方法。
【請求項２３】
モバイル端末が送信した制御指令を受信し、前記掃除機ブラシヘッドの動作を制御することをさらに含み、
前記制御指令は、噴水機構オン・オフ指令、拭きプレート駆動装置オン・オフ指令、負圧発生装置オン・オフ指令、噴水時間間隔、空気吸入量のうちの１種又は複数種を含むことを特徴とする、請求項２０に記載の吸塵方法。
【発明の詳細な説明】
【技術分野】
【０００１】
本発明は、掃除機分野に関し、具体的には、掃除機ブラシヘッド及び吸塵方法に関する。
【背景技術】
【０００２】
掃除機は、負圧による吸引力により汚れを吸引して除去する掃除装置であり、ますます広く使われている。従来技術では、単に吸引力により清掃物表面のダストを完全に除去することが困難である。清掃効果を向上させるために、従来技術では、刷毛によりダストを押し動かし、吸塵口からダストを吸い込む刷毛を備える掃除機ブラシヘッドが提案されている。しかしながら、従来技術の自動ブラシヘッドでは、刷毛は通常円柱状であり、髪の毛が絡まりやすいため、故障率が高い。また、作用力が小さく、埃しか清掃できず、地面に堅固に付着したゴミを清掃するのが困難であり、清掃効果が悪い。非常に重要なことには、従来技術では、ユーザは電気掃除機のブラシヘッドを地面に向けてしっかりと押す必要があるため、ユーザにとって体力的負担となり、体験が悪い。従来技術では、ダストの清掃面積が小さく、円柱状刷毛はサイズが大きいゴミを処理することができず、地面に付着した髪の毛などのものを処理することができないため、掃除に手間がかかり、使用体験が良くない。さらに重要なことは、円柱状刷毛と吸塵口との併用では、両者が効果的に協働することが難しく、吸塵効果には大きな改善余地が残っている。
【０００３】
さらに、従来技術におけるいくつかのブラシヘッドには噴水装置が設けられるが、使用過程において、地面の毛髪が湿らされた後、地面に付着しやすいので、吸込及び清掃されにくくなる。また、水分は吸塵口から吸塵システムに吸い込まれやすく、水分が吸塵システムに入ると、吸塵システムのモータが焼損する可能性が非常に高い。
【発明の概要】
【発明が解決しようとする課題】
【０００４】
本発明は、従来技術の不足を解決するために、掃除機ブラシヘッド及び吸塵方法を提供することを目的とする。
【課題を解決するための手段】
【０００５】
上記目的を達成するために、本発明の具体的な技術案は、以下の通りである。
掃除機ブラシヘッドであって、
ブラシヘッド本体と、前拭きプレートと、後拭きプレートと、拭きプレート駆動装置と、噴水機構とを含み、
前記ブラシヘッド本体内に吸塵管路が設けられ、前記吸塵管路は、前記ブラシヘッド本体の底部の前側に吸塵口が形成され、前記前拭きプレート及び前記後拭きプレートは、それぞれ前記ブラシヘッド本体の底部に設けられ、前記前拭きプレート及び前記後拭きプレートにはそれぞれ雑巾が設けられ、前記拭きプレート駆動装置は、前記ブラシヘッド本体内に設けられ、前記噴水機構の噴水口は、前記ブラシヘッド本体の底部に設けられるとともに、前記前拭きプレートと前記後拭きプレートとの間に位置し、
前記拭きプレート駆動装置は、前記前拭きプレート及び前記後拭きプレートに伝動接続され、前記拭きプレート駆動装置は、前記前拭きプレート、前記後拭きプレートを互いに対方向に往復移動させるように配置され、
前記前拭きプレートには、その上下両端を貫通するダスト通過孔が設けられ、前記ダスト通過孔は、前記吸塵口の下方に位置し、前記ダスト通過孔は、前記前拭きプレートが往復移動する際に前記吸塵口が常に前記ダスト通過孔に重なり合うように配置される。
【０００６】
一つの実施例において、前記ダスト通過孔が前記前拭きプレートに伴って往復移動する際に前記吸塵口が常に前記ダスト通過孔に重なり合うように、前記前拭きプレートの前進又は後退方向において、前記ダスト通過孔の幅は、前記吸塵口の幅よりも大きくかつ前記ダスト通過孔の幅と前記吸塵口の幅との差は所定の閾値以下であり、
或いは、前記ダスト通過孔が前記前拭きプレートに伴って往復移動する際に前記吸塵口が常に前記ダスト通過孔に重なり合うように、前記前拭きプレートの前進又は後退方向において、前記ダスト通過孔の幅は、前記吸塵口の幅よりも小さくかつ前記ダスト通過孔の幅と前記吸塵口の幅との差は所定の閾値以上である。
【０００７】
一つの実施例において、前記前拭きプレートの頂部は、前記拭きプレート駆動装置に伝動接続され、前記前拭きプレートの底部には集塵タンク及び雑巾取付部を有し、前記集塵タンクの前壁は、前記前拭きプレートの底部の前縁に位置し、前記集塵タンクの後壁は、前記雑巾取付部に接続され、前記ダスト通過孔は、前記集塵タンク内に設けられる。
【０００８】
一つの実施例において、前記集塵タンクの前壁には間隔を空けて設けられた複数のノッチを有し、各前記ノッチは、それぞれ前記集塵タンクに連通する。
【０００９】
一つの実施例において、前記集塵タンクは、前記前拭きプレートの底部の前縁において中部から両側へ延在するとともに、前記前拭きプレートの底部の前縁の長さの半分以上を占める。
【００１０】
一つの実施例において、前記吸塵口の数は１つ又は複数であり、前記ダスト通過孔の数は１つ又は複数であり、前記吸塵口の数が複数である場合、前記ダスト通過孔は、前記吸塵口と１対１で対応するか、又は１つの前記ダスト通過孔は複数の前記吸塵口に重なり合う。
【００１１】
一つの実施例において、前記集塵タンクの後壁は、複数の歯状ブレードを有し、前記歯状ブレードの刃は、前記集塵タンクに向かっている。
【００１２】
一つの実施例において、前記集塵タンクの前壁は、複数の歯状ブレードを有し、前記歯状ブレードの刃は、前記集塵タンクに向かっている。
【００１３】
一つの実施例において、前記集塵タンクの前記ダスト通過孔が設けられていない領域の幅は、前記ダスト通過孔の幅よりも小さい。
【００１４】
一つの実施例において、前記拭きプレート駆動装置は、クランクシャフトと、第１リンクロッドと、第２リンクロッドとを含み、前記クランクシャフトは、リンクロッドと、前記リンクロッドに形成された第１軸頸及び第２軸頸とを含み、前記第１リンクロッドの一端は前記第１軸頸に回転可能に外嵌され、他端は前記前拭きプレートの頂部にヒンジ接続され、前記第２リンクロッドの一端は前記第２軸頸に回転可能に外嵌され、他端は前記後拭きプレートの頂部にヒンジ接続される。
【００１５】
一つの実施例において、前記第１軸頸の軸芯線、前記第２軸頸の軸芯線、及び前記リンクロッドの回転軸芯は、同一平面に位置し、前記第１軸頸の軸芯線と前記リンクロッドの回転軸芯との間の距離は、前記第２軸頸の軸芯線と前記リンクロッドの回転軸芯との間の距離と同じである。
【００１６】
一つの実施例において、前記拭きプレート駆動装置は、前記前拭きプレートと前記後拭きプレートとを反対方向に往復移動させるときに、前記クランクシャフトが自己平衡を保持するように配置される。
【００１７】
一つの実施例において、前記前拭きプレートと前記ブラシヘッド本体の底部との間に少なくとも一セットのガイド装置が設けられ、
前記ガイド装置は、スクロールホイールと、スクロールホイール座と、ガイドレールバーと、ガイドレール座とを含み、前記スクロールホイール座は、前記前拭きプレートと前記ブラシヘッド本体のうちの一方に固定され、前記スクロールホイールは、前記スクロールホイール座に回転可能に取り付けられ、前記スクロールホイールは、前記前拭きプレートと前記ブラシヘッド本体のうちの他方に転がり接触し、前記ガイドレール座は、前記前拭きプレートと前記ブラシヘッド本体のうちの一方に固定され、前記ガイドレールバーは、前記前拭きプレートと前記ブラシヘッド本体のうちの他方に固定され、前記ガイドレール座は、前記ガイドレールバーの移動方向を規制するものである。
【００１８】
一つの実施例において、前記後拭きプレートと前記ブラシヘッド本体の底部との間に少なくとも一セットのガイド装置が設けられ、
前記ガイド装置は、スクロールホイールと、スクロールホイール座と、ガイドレールバーと、ガイドレール座とを含み、前記スクロールホイール座は、前記後拭きプレートと前記ブラシヘッド本体のうちの一方に固定され、前記スクロールホイールは、前記スクロールホイール座に回転可能に取り付けられ、前記スクロールホイールは、前記後拭きプレートと前記ブラシヘッド本体のうちの他方に転がり接触し、前記ガイドレール座は、前記後拭きプレートと前記ブラシヘッド本体のうちの一方に固定され、前記ガイドレールバーは、前記後拭きプレートと前記ブラシヘッド本体のうちの他方に固定され、前記ガイドレール座は、前記ガイドレールバーの移動方向を規制するものである。
【００１９】
一つの実施例において、前記ガイドレール座は、第１座体と第２座体を含み、前記第１座体と前記第２座体との間の隙間に前記ガイドレールバーが挿設される。
【００２０】
一つの実施例において、前記噴水機構の噴水口にはノズルが設けられ、前記ノズルは、前記ブラシヘッド本体の底部に着脱可能に取り付けられる。
【００２１】
一つの実施例において、前記吸塵管路は、内部管路とフレキシブルコネクタとを含み、前記内部管路は、前記ブラシヘッド本体内に位置するとともに、一端が前記吸塵口に接続され、他端が前記フレキシブルコネクタ内に挿入して接続され、前記フレキシブルコネクタは、前記ブラシヘッド本体に固定される。
【００２２】
一つの実施例において、前記フレキシブルコネクタは、第１套管と、第２套管と、外管とを含み、前記第１套管の第１端は前記ブラシヘッド本体に挿入され、前記第１套管の第２端は前記第２套管にヒンジ接続され、前記外管は前記第２套管内に設けられ、前記内部管路は、前記第１套管を通過して前記外管に挿入して接続され、前記外管と前記第２套管とは係止ボタンによってロックされる。
【００２３】
一つの実施例において、前記外管と前記第２套管との間に差し込みプラグが固定され、前記差し込みプラグは、前記第２套管及び前記第１套管を通過する。
【００２４】
一つの実施例において、前記噴水機構は、水タンクを含み、
前記水タンクは、タンク体と、タンク蓋と、スペーサとを含み、
前記タンク蓋は、前記タンク体の頂部に設けられ、前記タンク体の下部は、出水口を有し、前記スペーサは、前記タンク体内に設けられ、前記タンク体を上室と下室に仕切り、前記下室は貯水するものであり、
前記スペーサの中心領域の高さは、縁領域の高さよりも低く、前記スペーサの中心領域には、前記下室に注水するための注水口が形成され、前記タンク蓋は、前記注水口を開閉するように配置される。
【００２５】
吸塵方法であって、上述のいずれか１項に記載の前記掃除機ブラシヘッドを用いて以下の操作を行う。
負圧発生装置を起動し、ゴミを前記吸塵口から前記吸塵管路により吸い込み、
前記拭きプレート駆動装置を起動し、前記前拭きプレートと前記後拭きプレートとを互いに反対方向に往復移動させ、
所定の時間間隔、水量に応じて前記噴水機構を起動し、前記前拭きプレートにより清掃すべき領域を乾拭きし、前記後拭きプレートにより清掃すべき領域を湿拭きする。
【００２６】
一つの実施例において、前記ブラシヘッド本体が地面に位置するか否かを検出し、前記ブラシヘッド本体が地面から離れた場合、前記噴水機構をオフにすることをさらに含む。
【００２７】
一つの実施例において、モバイル端末が送信した制御指令を受信し、前記掃除機ブラシヘッドの動作を制御することをさらに含み、
前記制御指令は、噴水機構オン・オフ指令、拭きプレート駆動装置オン・オフ指令、負圧発生装置オン・オフ指令、噴水時間間隔、空気吸入量のうちの１種又は複数種を含む。
【発明の効果】
【００２８】
本発明は以下の効果を有する。
本発明の掃除機ブラシヘッド及び吸塵方法によれば、清掃過程において、前拭きプレートと後拭きプレートが互いに反対方向に往復移動する。従来の掃除機における円柱状刷毛に比べ、拭きプレートが前後移動することで、拭きプレートの清掃面積がより大きくなり、ブラシヘッド本体の底部の左側縁から右側縁に延在することができる。清掃面積がより大きいので、吸塵清掃効率が向上する。また、前拭きプレートと後拭きプレートが互いに反対方向に往復移動することにより、従来の掃除機における円柱状の刷毛の一方向回転拭きに比べて、往復拭きによる清掃効果は顕著に向上する。また、転がって拭く方式により床を拭くことではないため、従来技術における毛髪が円柱状刷毛に絡まる問題が克服される。さらに、円柱状刷毛に比べて、本発明において、雑巾と地面の作用力がより大きいため、地面に堅固に付着したゴミの清掃が容易になる。
【００２９】
また、前拭きプレートにその上下両端を貫通するダスト通過孔が設けられ、吸塵口は常にダスト通過孔に重なり合う。これによって、負圧発生装置が起動すると、ゴミが前拭きプレートの集塵タンクに入るときに、ほとんどのゴミは前拭きプレート上の雑巾に接触しないうちに吸塵口を介して吸い込まれ、地面に残ったダストは前拭きプレート及び後拭きプレート上の雑巾により取り除かれる。さらに、前拭きプレート上の雑巾により、サイズや重量が大きなゴミを吸塵口が位置する領域に押し進められ、さらに吸塵口から吸い込まれる。つまり、本発明において、前拭きプレートによりゴミを吸塵口まで押し進めることによって、両者が協働して効率的な吸塵清掃作用が達成される。ローラーブラシと吸塵口、円柱状刷毛と吸塵口のような組み合わせではそれぞれ独立して動作するか、又は協働が不十分である従来技術に比べ、本発明は顕著な技術的進歩を有し、このような協働による吸塵清掃効果の顕著な向上が従来技術から予測できないものである。
【００３０】
さらに、吸塵管路が吸塵作業を行う際に、集塵タンク内の空気が吸い出されて負圧空間が形成され、気圧差の作用により、拭きプレート上の雑巾が地面に密着して接触する。これによって、ユーザが強く押圧する必要がなく、掃除機ブラシヘッドは地面に密着して接触することもできる。また、雑巾と地面との摩擦力が顕著に強くなり、地面に堅固に付着したゴミを取り除くことができる。これは、従来技術により実現できないものであり、顕著に進歩を有する。
【００３１】
さらに、前拭きプレートにその上下両端を貫通するダスト通過孔が設けられることにより、吸塵口が占めるブラシヘッド本体の底部の空間が顕著に減少される。これによって、ブラシヘッド本体の底部に対する拭きプレート上の雑巾の面積比が増大される。
【００３２】
さらに、噴水機構の噴水口がブラシヘッド本体の底部に設けられるとともに前拭きプレートと後拭きプレートとの間に位置する。これによって、掃除機ブラシヘッドが進行する過程において、前拭きプレートが乾地面に接触し、後拭きプレートが湿地面に接触することで、前拭きプレートは清掃すべき領域を乾拭きし、埃などのゴミの清掃を実現し、後拭きプレートは清掃すべき領域を湿拭きする。従来技術の単純な乾拭き又は湿拭きに比べ、複数のタイプのゴミを処理することができ、より高い総合的な清掃効果を達成できる。これによって、吸塵、乾拭き、湿拭きを含むオールインワンの清掃作用が達成され、吸塵、清掃効果がさらに向上する。
【００３３】
さらに、噴水口が前拭きプレートと後拭きプレートの間に設けられることにより、吸塵口と噴水口は前拭きプレート上の雑巾によって隔てられ、噴水口から吐出された洗浄液が吸塵口に入ることが回避され、吸塵システムのモータが水進入により損傷することが防止される。つまり、巧みな構造により清掃効果の向上及び安全性の向上の両者が同時に実現される。
【００３４】
以上より、本発明によれば、掃除機ブラシヘッドの清掃面積を顕著に増大させ、清掃効果を向上させる技術的効果が達成される。従来技術に比べて突出した実質的な特徴及び顕著な進歩を有する。なお、上記各技術特徴の技術的効果を段階的に説明したが、各部分は分割されるものではなく、協調、協働して作用する全体的な技術的解決策である。
【００３５】
本発明の上記目的、特徴、および利点をより理解しやすくするために、以下、好ましい実施例及び図面により詳しく説明する。
【図面の簡単な説明】
【００３６】
本発明の実施例の技術的解決策をより明確に説明するために、実施例に必要な図面を以下に簡単に説明する。以下の図面は、本発明の特定の実施形態を示すだけであり、したがって、範囲を限定するものと見なされるべきではないことを理解されたい。当業者にとって、創造的な仕事を支払うことなく、これらの図面に基づいて他の関連する図面も得ることができる。
【００３７】
【図１】実施例１の掃除機ブラシヘッドの頂部斜視図である。
【図２】実施例１の掃除機ブラシヘッドの底部斜視図である。
【図３】実施例１の前拭きプレートの底部斜視図である。
【図４】実施例１の前拭きプレートの頂部斜視図である。
【図５】実施例１の掃除機ブラシヘッドの前拭きプレートが取り外された後の底部斜視図である。
【図６】実施例１の掃除機ブラシヘッドの一部の内部構造の模式図である。
【図７】図６の吸塵管路が取り外された後の模式図である。
【図８】実施例１のクランクシャフトの模式図である。
【図９】実施例１の掃除機ブラシヘッドの断面図である。
【図１０】実施例１のタンク体の斜視図である。
【図１１】実施例１のスペーサの斜視図である。
【図１２】実施例１のタンク蓋の分解図である。
【図１３】実施例１の掃除機ブラシヘッドの断面図である。
【図１４】実施例１のフレキシブルコネクタの模式図である。
【図１５】実施例１のフレキシブルコネクタの分解図である。
【図１６】実施例２の前拭きプレートの底部斜視図である。
【図１７】実施例２の他の前拭きプレートの底部斜視図である。
【発明を実施するための形態】
【００３８】
＜実施例１＞
本実施例は、掃除機ブラシヘッド１を提供する。掃除機ブラシヘッド１は、掃除機のブラシヘッドとして使用され得る。
図１−図３に示すように、掃除機ブラシヘッド１は、ブラシヘッド本体２と、前拭きプレート４と、後拭きプレート５と、拭きプレート駆動装置と、噴水機構とを含む。ブラシヘッド本体２内に吸塵管路が設けられ、吸塵管路は、ブラシヘッド本体２の底部の前側に吸塵口６が形成され、前拭きプレート４及び後拭きプレート５は、それぞれブラシヘッド本体２の底部に設けられ、前拭きプレート４及び後拭きプレート５にはそれぞれ雑巾が設けられ、拭きプレート駆動装置は、ブラシヘッド本体２内に設けられ、噴水機構の噴水口は、ブラシヘッド本体２の底部に設けられるとともに前拭きプレート４と後拭きプレート５との間に位置する。拭きプレート駆動装置は、前拭きプレート４及び後拭きプレート５に伝動接続され、拭きプレート駆動装置は、前拭きプレート４と後拭きプレート５を互いに反対方向に往復移動させるように配置される。
【００３９】
前拭きプレート４には、その上下両端を貫通するダスト通過孔４４が設けられ、ダスト通過孔４４は、所定のサイズを有し、前拭きプレート４が往復移動する際に吸塵口６が常にダスト通過孔４４に重なり合うように配置される。具体的には、図２に示すように、ダスト通過孔４４が前拭きプレート４に伴って往復移動する際に吸塵口６が常にダスト通過孔４４に重なり合うように、前拭きプレート４の前進又は後退方向においてダスト通過孔４４の幅は吸塵口６の幅よりも大きくかつダスト通過孔の幅と吸塵口の幅との差は所定の閾値以下である。所定の閾値の具体的な数値は、当業者が吸塵口６、ダスト通過孔４４のいずれか一方のサイズに応じて選択することができ、可変数であり、ダスト通過孔４４が前拭きプレート４に伴って往復移動する際に吸塵口６が常にダスト通過孔４４に重なり合うことを満足すればよく、本実施例では列挙を省略する。なお、他の実施形態において、ダスト通過孔が前拭きプレートに伴って往復移動する際に吸塵口が常にダスト通過孔に重なり合うように、前拭きプレートの前進又は後退方向においてダスト通過孔の幅は吸塵口の幅よりも小さくかつダスト通過孔の幅と吸塵口の幅との差は所定の閾値以上であってもよい。
【００４０】
具体的には、ブラシヘッド本体２は、前拭きプレート４、後拭きプレート５、拭きプレート駆動装置、噴水機構、吸塵管路及び他の部品が取り付けられるようにケース構造に形成される。本実施例において、吸塵管路は、コネクタ及び外管２５を介して掃除機システムにおける負圧発生装置に接続され、負圧発生装置が起動すると、吸塵口６に負圧が発生し、ダストなどのゴミが吸い込まれる。
【００４１】
好ましくは、前拭きプレート４及び後拭きプレート５はそれぞれ長板状構造であり、かつブラシヘッド本体２の底部の左縁から右縁まで延在する。これによって、前拭きプレート４及び後拭きプレート５は、従来技術の円柱状拭きプレートに比べて、掃除機ブラシヘッド１の効果的な清掃面積が顕著に増大する。好ましくは、前拭きプレート４及び後拭きプレート５上の雑巾は、着脱可能に取り付けられ、例えば、雑巾は、それぞれ面ファスナーなどにより前拭きプレート４及び後拭きプレート５に貼り付けられる。
【００４２】
図６−図９は、好ましい拭きプレート駆動装置を示す。この拭きプレート駆動装置は、クランクシャフト２０と、第１リンクロッド１８と、第２リンクロッド１９とを含む。クランクシャフト２０は、リンクロッド２０１と、リンクロッド２０１上に形成された第１軸頸２０２及び第２軸頸２０３とを含む。第１リンクロッド１８の一端は第１軸頸２０２に回転可能に外嵌され、他端は前拭きプレート４の頂部にヒンジ接続される。第２リンクロッド１９の一端は第２軸頸２０３に回転可能に外嵌され、他端は後拭きプレート５の頂部にヒンジ接続される。即ち、クランクシャフト２０、第１リンクロッド１８及び前拭きプレート４は、一セットのクランクリンク機構を構成し、クランクシャフト２０、第２リンクロッド１９及び後拭きプレート５は、もう一セットのクランクリンク機構を構成する。クランクシャフト２０を回転可能にするために、拭きプレート駆動装置は、ブラシヘッド本体２内に設けられた駆動モータ１６及び伝動機構をさらに含む。駆動モータ１６は、伝動機構によりクランクシャフト２０を回転させる。伝動機構は、同調ベルト、ウォームギアボックス又は他の構造を含む。
【００４３】
好ましくは、第１軸頸２０２の軸芯線及び第２軸頸２０３の軸芯線はリンクロッド２０１の回転軸芯と同一平面に位置し、第１軸頸２０２の軸芯線とリンクロッド２０１の回転軸芯との間の距離は、第２軸頸２０３の軸芯線とリンクロッド２０１の回転軸芯との間の距離と同じである。これによって、クランクシャフト２０が一方向に沿って回転するときに、前拭きプレート４と後拭きプレート５が互いに反対方向に往復移動するように駆動されることが達成される。
【００４４】
好ましくは、拭きプレート駆動装置は、さらに、前拭きプレート４と後拭きプレート５を互いに反対方向に往復移動させるときに、クランクシャフト２０が自己平衡を保持するように配置される。具体的には、事前に第１軸頸２０２、第２軸頸２０３、第１リンクロッド１８、第２リンクロッド１９、前拭きプレート４及び後拭きプレート５の具体的なサイズ、重量、形状などのパラメータを設定することにより、クランクシャフト２０は回転する過程において自己平衡を保持する。これによって、前拭きプレート４と後拭きプレート５が互いに反対方向に往復移動する際に、掃除機ブラシヘッド１全体はバランスを保持することができ、不要な振動が回避され、騒音が顕著に低減され、拭きプレート駆動装置の摩耗が減少される。
【００４５】
本実施例において、噴水口の数は１つ又は複数であるが、好ましくは複数である。図２は噴水口の数が２つである形態を示す。２つの噴水口はいずれもブラシヘッド本体２の底部に設けられるとともに、前拭きプレート４と後拭きプレート５との間に位置する。具体的には、噴水機構は、ブラシヘッド本体２の内部に設けられた水タンク１２、ポンプ装置１７及び給水管路をさらに含む。水タンク１２は、給水管路により各噴水口に接続され、水ポンプは、給水管路に設けられ、水タンク１２中の洗浄液を増圧して噴水口から吐出するために用いられる。
【００４６】
図９−図１２に示すように、水タンク１２は、タンク体１２１、タンク蓋１２２及びスペーサ１２３を含む。タンク蓋１２２は、タンク体１２１の頂部に設けられ、タンク体１２１の下部は出水口を有する。スペーサ１２３は、タンク体１２１内に設けられ、タンク体１２１を上室１２４と下室１２５に仕切る。下室１２５は、貯水するものである。スペーサ１２３の中心領域の高さは、縁領域の高さよりも低い。スペーサ１２３の中心領域は、下室１２５に注水するための注水口１３１を有し、タンク蓋１２２は注水口１３１を開閉するように配置される。
【００４７】
好ましくは、スペーサ１２３の高さは、縁領域から中心領域まで連続的で滑らかに低くなる。
【００４８】
好ましくは、タンク体１２１の底部には、内に凹んだ収容溝１３０が形成される。
【００４９】
好ましくは、スペーサ１２３はエラストマー、例えば、弾性を有するシリカゲルスペーサ１２３である。
【００５０】
ブラシヘッド本体１２６の底部にはノズルが設けられ、ノズルは、給水管路を介して出水口に連通する。水ポンプは、下室１２５内の洗浄液をノズルへ圧送して吐出する。具体的には、水ポンプは、給水管路に接続され、水ポンプが起動すると、圧力が発生し、水タンク１２内の洗浄液を輸送する。
【００５１】
本実施例において、スペーサ１２３の縁領域には、下向きに突出するとともに中心領域の周りに延在する環状突起１２７が設けられる。タンク体１２１の頂部には、第１環状溝１３２が設けられる。環状突起１２７は、第１環状溝１３２内に取り付けられる。環状突起１２７の上面が内に凹んで第２環状溝１３３が形成され、ブラシヘッド本体１２６の上面に開口が形成され、タンク蓋１２２は、開口に開き可能に取り付けられる。ブラシヘッド本体１２６は、開口の内面には下向きに突出した筒状突起１２８が形成され、筒状突起１２８は、タンク蓋１２２、筒状突起１２８及びタンク体１２１が閉鎖空間を取り囲むように第２環状溝１３３内に取り付けられる。
【００５２】
好ましくは、タンク蓋１２２は、一体に接続された蓋板１２２１及び筒体１２２２を含む。蓋板１２２１はブラシヘッド本体１２６の上面に露出し、筒体１２２２は開口に挿入され、筒体１２２２には弾性シールリング１２９が外嵌され、弾性シールリング１２９は開口の内壁に当接する。
【００５３】
本実施例において、掃除装置は、拭きプレートと、拭きプレート駆動装置と、吸塵管路とをさらに含む。吸塵管路は、ブラシヘッド本体１２６内に設けられ、吸塵管路はブラシヘッド本体１２６の底部に吸塵口が形成される。拭きプレートは、ブラシヘッド本体１２６の底部に設けられ、拭きプレートの底部に雑巾が設けられる。拭きプレート駆動装置は、ブラシヘッド本体１２６内に設けられ、拭きプレートの動作を駆動する。
【００５４】
これによって、スペーサ１２３により下室１２５内に貯蔵した洗浄液と上室１２４とが隔てられ、掃除装置が高速振動又は移動する過程において洗浄液が揺れてタンク蓋１２２に衝突することによる水漏れが回避される。少量の洗浄液が揺れることでスペーサ１２３の上方にあふれたとしても、スペーサ１２３とタンク蓋１２２との間にある程度の距離があるため、タンク蓋１２２に接触する洗浄液はわずかである。そして、スペーサ１２３の中心領域の高さが縁領域の高さよりも低いため、少量の洗浄液が揺れることでスペーサ１２３の上方に溢れたとしても、自体の重力の作用下でタイムリーに注水口１３１に集まって下室１２５に落ちることができる。また、注水過程において、注水口１３１に完全に合わせる必要がなく、洗浄液は自動的に注水口１３１に集めて下室１２５に落ちることができる。これによって、注水効率が向上し、注水過程において洗浄液が溢れることが防止される。
【００５５】
さらに、スペーサ１２３により水漏れが巧みに防止されるため、タンク蓋１２２を完全に密閉する必要がない。これによって、水が吐出される過程において、水タンクに空気がタイムリーに補充されるため、水タンク内外の気圧差が解消され、噴水システムにより水タンク内の洗浄液がスムーズに排出することができる。
【００５６】
本実施例に係る掃除機ブラシヘッド１によれば、清掃過程において、前拭きプレート４と後拭きプレート５は互いに反対方向に往復移動する。従来の掃除機における円柱状の刷毛の一方向回転拭きに比べて、往復拭きによる清掃効果は顕著に向上する。また、転がって拭く方式により床を拭くことではないため、従来技術における毛髪が円柱状刷毛に絡まる問題が克服される。さらに、円柱状刷毛に比べて、本発明において、雑巾と地面の作用力がより大きいため、地面に堅固に付着したゴミの清掃が容易になる。
【００５７】
また、前拭きプレート４にその上下両端を貫通するダスト通過孔４４が設けられ、ダスト通過孔４４は所定のサイズを有し、前拭きプレート４が往復移動する際に吸塵口６が常にダスト通過孔４４に重なり合うように配置される。これによって、負圧発生装置が起動すると、ゴミが前拭きプレート４のダスト通過孔４４内に入るときに、ほとんどのゴミは前拭きプレート４上の雑巾に接触しないうちに吸塵口６を介して吸い込まれ、地面に残ったダストは前拭きプレート４及び後拭きプレート５上の雑巾により取り除かれる。さらに、前拭きプレート上の雑巾４により、サイズや重量が大きなゴミを吸塵口６が位置する領域に押し進められ、前拭きプレート４上の雑巾により、ダスト、毛髪などのゴミを吸塵口６が位置する領域に押し進められ、これらのゴミが吸塵口６から吸い込まれる。つまり、本実施例において、前拭きプレート４によりゴミを吸塵口６まで押し進めることによって、両者が協働して効率的な吸塵清掃作用が達成される。これに対し、従来技術のローラーブラシと吸塵口６、円柱状刷毛と吸塵口６のような組み合わせでは、それぞれ独立して動作するか、又は協働が不十分であるので、地面に付着したゴミが吸塵口６まで送られにくい。よって、本実施例は、従来技術に比べて顕著な進歩を有し、このような協働による吸塵清掃効果の顕著な向上が従来技術から予測できないものである。
【００５８】
さらに、吸塵管路が吸塵作業を行う際に、集塵タンク４２内の空気が吸い出されて負圧空間が形成され、気圧差の作用により、拭きプレート上の雑巾が地面に密着して接触する。これによって、ユーザが強く押圧する必要がなく、掃除機ブラシヘッドは地面に密着して接触することもできる。また、雑巾と地面との摩擦力が顕著に強くなり、地面に堅固に付着したゴミを取り除くことができる。これは、従来技術により実現できないものであり、顕著に進歩を有する。
【００５９】
さらに、前拭きプレート４にその上下両端を貫通するダスト通過孔４４が設けられることにより、吸塵口６が占めるブラシヘッド本体２の底部の空間が顕著に減少される。
【００６０】
以上より、本実施例によれば、掃除機ブラシヘッド１の清掃面積を顕著に増大させ、清掃効果を向上させる技術的効果が達成される。従来技術に比べて突出した実質的な特徴及び顕著な進歩を有する。なお、上記各技術特徴の技術的効果を段階的に説明したが、各部分は分割されるものではなく、協調、組み合わせ、協働して作用する全体的な技術的解決策である。
【００６１】
本実施例は、吸塵方法をさらに提供する。本実施例の掃除機ブラシヘッド１を用いて以下の操作を行う。
負圧発生装置を起動し、ゴミを吸塵口６から吸塵管路により吸い込む。
拭きプレート駆動装置を起動し、前拭きプレート４と後拭きプレート５とを互いに反対方向に往復移動させる。
所定の時間間隔、水量に応じて噴水機構を起動し、前拭きプレート４により清掃すべき領域を乾拭きし、後拭きプレート５により清掃すべき領域を湿拭きする。
【００６２】
このようにして、掃除機ブラシヘッド１が進行する過程において、前拭きプレート４が乾地面に接触し、後拭きプレート５が湿地面に接触することで、前拭きプレート４は清掃すべき領域を乾拭きし、後拭きプレート５は清掃すべき領域を湿拭きする。また、前拭きプレート４は乾拭きするので、比較的乾燥の状態で摩擦し、ダストなどのゴミを押し進めるため、サイズが比較的大きなゴミは吸塵口６まで押し進められやすく、小さな粒子の干燥ダストは地面から舞い上がり、吸塵口６から吸い込まれる。従来技術の単純な乾拭きは、地面の清掃効果を奏することができず、清掃効果が本実施例よりはるかに劣る。また、従来技術の単純な湿拭きは、吸塵能力が劣り、水分が揮発した後、ダストなどが地面に残る。従来技術の湿拭きでは、噴水口が最先端に位置するため、地面の毛髪が湿らされた後、地面に付着しやすいので、吸込及び清掃されにくくなり、清掃効果が本実施例よりはるかに劣る。したがって、本実施例によれば、吸塵、乾拭き、湿拭きを含むオールインワンの清掃作用が達成され、複数のタイプのゴミを処理することができ、吸塵、清掃効果がさらに向上する。
【００６３】
図４−図８、図１３に示すように、前拭きプレート４の頂部が拭きプレート駆動装置に伝動接続され、好ましくは、前拭きプレート４の頂部に接続座４７が設けられ、接続座４７にヒンジ軸が挿設され、第１リンクロッド１８は、ヒンジ軸に回転可能に挿設される。同様に、後拭きプレート５の頂部が拭きプレート駆動装置に伝動接続され、好ましくは、後拭きプレート５の頂部に接続座４７が設けられ、接続座４７にヒンジ軸が挿設され、第２リンクロッド１９は、ヒンジ軸に回転可能に挿設される。
【００６４】
図２−図５に示すように、前拭きプレート４の底部には集塵タンク４２及び雑巾取付部４３を有し、集塵タンクの前壁４１は前拭きプレート４の底部の前縁に位置し、集塵タンクの後壁４６が雑巾取付部４３に接続され、ダスト通過孔４４は集塵タンク４２内に設けられる。前拭きプレート４の構成部分は集塵タンク４２を含むため、集塵タンク４２の後側の雑巾取付部４３上の雑巾はまずゴミを集塵タンクに押し進め、さらに集塵タンク４２内においてダスト通過孔４４に集まり、さらに吸塵口６から吸い込まれる。これによって、従来技術に比べ、吸塵口６の有効吸着領域面積が顕著に増大され、掃除機ブラシヘッド１の吸塵面積が増大され、清掃効率が向上する。
【００６５】
図２−図４に示すように、集塵タンクの前壁４１に間隔を空けて設けられた複数のノッチ４５を有する。各ノッチ４５は、それぞれ集塵タンク４２に連通する。本実施例において、集塵タンクの前壁４１上のノッチ４５と集塵タンク４２が連通して配置されることにより、掃除機ブラシヘッド１が進行するか、又は吸塵管路が動作するときに、サイズが比較的大きいゴミはノッチ４５を介して集塵タンク４２に入り、さらに集塵タンク４２内においてダスト通過孔４４に集まり、次いで吸塵口６によって吸い込まれる。これによって、サイズが大きいゴミに対する吸込及び清掃効果が向上する。
【００６６】
好ましくは、集塵タンク４２は、前拭きプレート４の底部の前縁において中部から両側へ延在し、前拭きプレート４の底部の前縁の長さの半分以上を占める。これによって、掃除機ブラシヘッド１の吸塵、清掃面積がさらに増大される。
【００６７】
本実施例において、吸塵口６の数は１つ又は複数であり、ダスト通過孔４４の数は１つ又は複数である。吸塵口６の数が複数である場合、ダスト通過孔４４は吸塵口６と１対１で対応するか、又はダスト通過孔４４は複数の吸塵口６に重なり合い、即ち、１つのダスト通過孔４４は１つの吸塵口６に重なり合うか、又は１つのダスト通過孔４４は複数の吸塵口６に重なり合う。
【００６８】
好ましくは、集塵タンク４２におけるダスト通過孔４４が設けられていない領域の幅は、ダスト通過孔４４の幅よりも狭い。これによって、雑巾取付部４３の面積がより大きくなり、清掃面積が増大される。
【００６９】
好ましくは、前拭きプレート４とブラシヘッド本体２の底部との間には、少なくとも一セットのガイド装置が設けられる。さらに好ましくは、ガイド装置は、スクロールホイール１０と、スクロールホイール座８と、ガイドレールバー９と、ガイドレール座１１とを含む。スクロールホイール座８は、前拭きプレート４とブラシヘッド本体２のうちの一方に固定され、スクロールホイール１０は、スクロールホイール座８に回転可能に取り付けられ、スクロールホイール１０は、前拭きプレート４とブラシヘッド本体２のうちの他方に転がり接触する。ガイドレール座１１は、前拭きプレート４とブラシヘッド本体２のうちの一方に固定され、ガイドレールバーは、前拭きプレート４とブラシヘッド本体２のうちの他方に固定される。ガイドレール座１１は、ガイドレールバー９の移動方向を規制するものである。
【００７０】
好ましくは、後拭きプレート５とブラシヘッド本体２の底部との間には、少なくとも一セットのガイド装置が設けられる。さらに好ましくは、ガイド装置は、スクロールホイール２３と、スクロールホイール座２４と、ガイドレールバー２２と、ガイドレール座（図示せず）とを含む。スクロールホイール座は、後拭きプレート５とブラシヘッド本体２のうちの一方に固定され、スクロールホイールは、スクロールホイール座に回転可能に取り付けられ、スクロールホイールは、後拭きプレート５とブラシヘッド本体２の他方に転がり接触する。ガイドレール座は、後拭きプレート５とブラシヘッド本体２のうちの一方に固定され、ガイドレールバーは、後拭きプレート５とブラシヘッド本体２のうちの他方に固定される。ガイドレール座は、ガイドレールバーの移動方向を規制するものである。
【００７１】
好ましくは、ガイドレール座は、第１座体と第２座体とを含み、第１座体と第２座体との間の隙間にはガイドレールバーが挿設される。
【００７２】
好ましくは、噴水機構の噴水口にノズル７が設けられ、ノズル７は、ブラシヘッド本体２の底部に着脱可能に取り付けられる。
【００７３】
本実施例において、吸塵管路は、内部管路１３とフレキシブルコネクタとを含む。内部管路１３は、ブラシヘッド本体２内に位置し、一端が吸塵口６に接続され、他端がフレキシブルコネクタに挿入して接続され、フレキシブルコネクタは、ブラシヘッド本体２に固定される。
【００７４】
図６、図１３−図１４は好ましいフレキシブルコネクタを示す。フレキシブルコネクタは、第１套管１４と、第２套管３と、外管２５とを含む。第１套管１４の第１端はブラシヘッド本体２に挿入され、第１套管１４の第２端は第２套管３にヒンジ接続される。外管２５は第２套管３内に設けられ、内部管路１３は第１套管１４を通過して外管２５に挿入して接続される。外管２５と第２套管３とは係止ボタン２６によってロックされる。これによって、掃除機ブラシヘッド１内における吸塵管路の外管２５のフレキシブル接続が達成され、迅速な着脱が便利である。
【００７５】
好ましくは、外管２５と第２套管３との間に差し込みプラグ２７が固定され、差し込みプラグ２７は、第２套管３及び第１套管１４を通過する。
【００７６】
本実施例において、ブラシヘッド本体２には、ブラシヘッド本体２が地面から離れたか否かを検出するための位置センサがさらに設けられることが好ましい。吸塵方法は、
ブラシヘッド本体２が地面に位置するか否かを検出し、ブラシヘッド本体２が地面から離れた場合、噴水機構をオフにすることをさらに含む。
【００７７】
本実施例において、吸塵方法は、
モバイル端末が送信した制御指令を受信し、掃除機ブラシヘッド１の動作を制御することをさらに含む。制御指令は、噴水機構オン・オフ指令、拭きプレート駆動装置オン・オフ指令、負圧発生装置オン・オフ指令、噴水時間間隔、空気吸入量のうちの１種又は複数種を含む。これによって、携帯電話などのデバイスにより掃除機ブラシヘッド１に対するワイヤレスインテリジェント制御が達成される。
【００７８】
＜実施例２＞
本実施例は、掃除機ブラシヘッド１を提供する。掃除機ブラシヘッド１は、掃除機のブラシヘッドとして使用することができる。本実施例は、主に以下の点で実施例１と相違する。
図１６に示すように、集塵タンクの後壁４６には複数の歯状ブレードを有し、歯状ブレードの刃が集塵タンク４２に向かっている。歯状ブレードの形状は、三角歯、台形歯、櫛歯などの複数種類の形状を含む。
【００７９】
これによって、毛髪などのゴミを清掃する場合、ゴミはまず歯状ブレードによりすくいとられ、さらに吸塵口６により吸い込まれる。これによって、毛髪の吸込効果が向上し、毛髪を吸い込む際に毛髪が吸塵口６に吸い込まれていないうちに雑巾に絡まれる状況が解消又は減少され、清掃効果がさらに向上する。
【００８０】
好ましくは、図１７に示すように、雑巾取付部４３と集塵タンクの後壁４６との過渡部位は、雑巾取付部４３に対して工作面に向かって突出し、歯状ブレードは、この突出した過渡部位に形成される。
【００８１】
本実施例の他の特徴は実施例１と同じであるため、説明を省略する。
【００８２】
以上、本発明のいくつかの具体的な実施形態を説明したが、本発明はこれらの実施形態に限定されず、当業者が想到できる変形はいずれも本発明の保護範囲に含まれる。
【符号の説明】
【００８３】
１  掃除機ブラシヘッド、
２、１２６  ブラシヘッド本体、
３  第２套管、
４  前拭きプレート、
４１  集塵タンク的前壁、
４２  集塵タンク、
４３  雑巾取付部、
４４  ダスト通過孔、
４５  ノッチ、
４６  集塵タンク的後壁、
４７  接続座、
５  後拭きプレート、
６  吸塵口、
７  ノズル、
８、２４  スクロールホイール座、
９、２２  ガイドレールバー、
１０、２３  スクロールホイール、
１１  ガイドレール座、
１２  水タンク、
１３  内部管路、
１４  第１套管、
１５  套管定位座、
１６  駆動モータ、
１７  ポンプ装置、
１８  第１リンクロッド、
１９  第２リンクロッド、
２０  クランクシャフト、
２０１  リンクロッド、
２０２  第１軸頸、
２０３  第２軸頸、
２５  外管、
２６  係止ボタン、
２７  差し込みプラグ。
【図１】
2021533838.tif 000003
【図２】
2021533838.tif 000004
【図３】
2021533838.tif 000005
【図４】
2021533838.tif 000006
【図５】
2021533838.tif 000007
【図６】
2021533838.tif 000008
【図７】
2021533838.tif 000009
【図８】
2021533838.tif 000010
【図９】
2021533838.tif 000011
【図１０】
2021533838.tif 000012
【図１１】
2021533838.tif 000013
【図１２】
2021533838.tif 000014
【図１３】
2021533838.tif 000015
【図１４】
2021533838.tif 000016
【図１５】
2021533838.tif 000017
【図１６】
2021533838.tif 000018
【図１７】
2021533838.tif 000019
【国際調査報告】
2021533838.tif 000020
2021533838.tif 000021
2021533838.tif 000022
2021533838.tif 000023
2021533838.tif 000024
2021533838.tif 000025